(57)【要約】【課題】本発明の目的は、遮断性能と低サージ性とを兼ね備え、かつ、多数回遮断による性能劣化の小さい、電気接点とその製造方法を提供することにある。【解決手段】本発明の電気接点は、ＣｒとＣｕとＣｒ窒化物からなることを特徴とするものであって、前記Ｃｒを１２.５〜５０重量％、前記Ｃｒ窒化物を０.５〜５重量％含むことが好ましく、前記Ｃｒ窒化物と前記Ｃｒとの重量比が１：１０〜１：２５の範囲にあること有効である。【選択図】なし【特許請求の範囲】
【請求項１】
ＣｒとＣｕとＣｒ窒化物からなることを特徴とする電気接点。
【請求項２】
前記Ｃｒを１２.５〜５０重量％、前記Ｃｒ窒化物を０.５〜５重量％含むことを特徴とする請求項１に記載の電気接点。
【請求項３】
前記Ｃｒ窒化物と前記Ｃｒとの重量比が１：１０〜１：２５の範囲にあることを特徴とする請求項１に記載の電気接点。
【請求項４】
前記Ｃｒ窒化物と前記Ｃｒとの重量比が１：１０〜１：２５の範囲にあることを特徴とする請求項２に記載の電気接点。
【請求項５】
前記Ｃｒ窒化物は、昇華点または分解点が１２００℃以上であることを特徴とする請求項２に記載の電気接点。
【請求項６】
前記Ｃｒ窒化物は、ＣｒＮまたはＣｒ2Ｎ のうちの一方あるいは両方であることを特徴とする請求項２に記載の電気接点。
【請求項７】
Ｃｒ，ＣｕおよびＣｒ窒化物の粉末を混合して混合粉末とし、前記混合粉末を加圧成形した後に焼結することを特徴とする電気接点の製造方法。
【請求項８】
表面を窒化処理したＣｒと、Ｃｕの粉末とを混合して混合粉末とし、前記混合粉末を加圧成形した後に焼結することを特徴とする電気接点の製造方法。
【請求項９】
前記Ｃｒ，ＣｕおよびＣｒ窒化物の粉末は、粒径が７５μｍ以下であることを特徴とする請求項７に記載の電気接点の製造方法。
【請求項１０】
前記Ｃｒ，ＣｕおよびＣｒ窒化物の粉末は、粒径が７５μｍ以下であることを特徴とする請求項８に記載の電気接点の製造方法。
【請求項１１】
請求項２の電気接点からなり、円盤形状を有し、前記円盤形状の円中心に形成された中心孔と、前記中心孔に対して非接触で前記円中心から外周部に向かって形成された複数本の貫通したスリット溝とを有することを特徴とする電極。
【請求項１２】
円盤状部材と、前記円盤状部材のアーク発生面の反対面に一体に接合された電極棒とを有し、前記円盤状部材が請求項２に記載の電気接点からなることを特徴とする電極。
【請求項１３】
真空容器内に一対の固定側電極及び可動側電極を備えた真空バルブにおいて、
前記固定側電極及び可動側電極の少なくとも一方が、請求項１２に記載の電極からなることを特徴とする真空バルブ。
【請求項１４】
真空容器内に一対の固定側電極及び可動側電極を備えた真空バルブと、前記真空バルブ内の前記固定側電極及び前記可動側電極の各々に前記真空バルブ外から接続される導体端子と、前記可動側電極を駆動する開閉手段とを備えた真空遮断器において、
前記真空バルブが請求項１３に記載の真空バルブからなることを特徴とする真空遮断器。
【発明の詳細な説明】
【技術分野】
【０００１】
本発明は、真空遮断器，真空開閉器等に用いられる新規な真空バルブ用電気接点及びその製造方法に関する。
【背景技術】
【０００２】
真空遮断器，真空開閉器等に内蔵される真空バルブ内には、一対の開閉可能な電気接点が設けられる。電気接点に求められる要件の一つに、裁断電流値が小さいことが挙げられる。これは、真空バルブを誘導性回路に用いて電流を遮断すると、異常サージ電圧が発生して負荷機器の絶縁破壊などを引き起こす恐れがあるためであり、異常サージ電圧を抑制するために、裁断電流値を小さくする必要がある。裁断電流値の小さい低サージ型の電気接点としては、例えば、特許文献１に記載されるように、Ｃｏ−Ａｇ−Ｓｅ系などが挙げられる。
【０００３】
また、裁断電流値の小さい低サージ型の電気接点としては、一般に、Ａｇ−ＷＣ系などが使用される場合もある。
【０００４】
【特許文献１】特開平９−１７１７４６号公報
【発明の開示】
【発明が解決しようとする課題】
【０００５】
一般に、低サージ性と遮断性能は相反する関係にあるため、低サージ性に優れるＣｏ−Ａｇ−Ｓｅ系やＡｇ−ＷＣ系などの電気接点は遮断性能が不足する。
【０００６】
また、多数回遮断後はアーク加熱による揮散・分解などにより構成成分が変化するため、低サージ性が劣化し、所望性能の維持が困難である。
【０００７】
そこで、本発明の目的は、遮断性能と低サージ性とを兼ね備え、かつ、多数回遮断による性能劣化の小さい、電気接点とその製造方法を提供することにある。
【課題を解決するための手段】
【０００８】
本発明の電気接点は、ＣｒとＣｕとＣｒ窒化物からなることを特徴とする。
【０００９】
そして、この電気接点は、Ｃｒを１２.５〜５０重量％、Ｃｒ窒化物を０.５〜５重量％含み、残部がＣｕであることが好ましい。
【００１０】
これら電気接点は、Ｃｒ窒化物とＣｒとの重量比が１：１０〜１：２５の範囲にあることが好ましい。
【００１１】
このようなＣｒ窒化物は、昇華点または分解点が１２００℃以上であることが好ましく、ＣｒＮまたはＣｒ2Ｎのうちの一方あるいは両方であることが好ましい。
【００１２】
また、本発明の電気接点の製造方法は、Ｃｒ，ＣｕおよびＣｒ窒化物の粉末を混合して混合粉末とし、混合粉末を加圧成形した後に焼結してもよく、表面を窒化処理したＣｒと、Ｃｕの粉末とを混合して混合粉末とし、混合粉末を加圧成形した後に焼結してもよい。
【００１３】
ここでの焼結は、高周波加熱炉などによる常圧焼結のほか、ホットプレスなどの加圧焼結や、マイクロ波などによる誘導加熱焼結を含むものである。
【００１４】
また、加圧成形圧力が１２０〜５００ＭＰａであり、この成形圧力で加圧成形することが好ましく、焼結の雰囲気は、真空中，不活性雰囲気中，水素雰囲気中、または窒素雰囲気中であり、Ｃｕの融点以下の温度で行うことが好ましい。
【００１５】
このようなＣｒ，ＣｕおよびＣｒ窒化物の粉末は、粒径が７５μｍ以下であることが好ましく、より好ましくは、３０〜７０μｍである。
【００１６】
また、本発明の電極は、このような電気接点を用いるものであり、円盤形状を有し、円盤形状の円中心に形成された中心孔と、中心孔に対して非接触で円中心から外周部に向かって形成された複数本の貫通したスリット溝とを有するものである。
【００１７】
さらに、本発明の電極は、円盤状部材と、円盤状部材のアーク発生面の反対面に一体に接合された電極棒とを有し、円盤状部材に本発明の電気接点を用いたものである。
【００１８】
また、本発明の真空バルブは、真空容器内に一対の固定側電極及び可動側電極を備えたものであって、固定側電極及び可動側電極の少なくとも一方が、本発明の電極を用いるものである。
【００１９】
また、本発明の真空遮断器は、真空容器内に一対の固定側電極及び可動側電極を備えた真空バルブと、真空バルブ内の固定側電極及び可動側電極の各々に真空バルブ外から接続される導体端子と、可動側電極を駆動する開閉手段とを備えたものであって、真空バルブに本発明の真空バルブを用いたものである。
【発明の効果】
【００２０】
したがって、本発明によって、遮断性能と低サージ性とを兼ね備え、かつ、多数回遮断による性能劣化の小さい、電気接点とその製造方法を提供することが可能となる。
【発明を実施するための最良の形態】
【００２１】
以下、発明を実施するための最良の形態を実施例によって詳細に説明するが、本発明はこれらの実施例に限定されるものではない。
【００２２】
Ｃｕのマトリックス中にＣｒ粒子とＣｒ2Ｎ 粒子とが分散する組織をなす電気接点を作製し、これを用いて電極を作製した。
【００２３】
図１は、作製した電極の構造を示す図である。図１において、１は電気接点、２はアークに駆動力を与えて停滞させないようにするためのスパイラル溝、３はステンレス製の補強板、４は電極棒、５はろう材、５１は電極中央にアークを生じさせないようにするための凹部を形成する中央孔である。電気接点とは、電気的に入り切りする部分に使用される部材である。
【００２４】
電気接点１の作製方法は次のとおりである。
【００２５】
まず、最大粒径が７５μｍのＣｕ粉末，Ｃｒ粉末およびＣｒ2Ｎ 粉末とを、後述する表１の接点組成となるような配合比でＶ型混合器により混合した。
【００２６】
【表１】
2007213813.tif 000002
【００２７】
次に、この混合粉末を、貫通したスパイラル溝２及び中央孔５１を形成して、所望の電気接点形状を形作ることのできる金型に充填し、油圧プレスにより４００ＭＰａの圧力で加圧成形した。成形体の密度は、およそ７３％であった。
【００２８】
これを真空中で、１０００〜１０５０℃×２時間加熱して焼結し、電気接点１を作製した。得られた電気接点１の相対密度は、およそ９４％であった。
【００２９】
さらに、電極の作製方法は次の通りである。
【００３０】
電極棒４を無酸素銅で、また、補強板３をＳＵＳ３０４であらかじめ機械加工により作製しておき、前述の焼結で得られた電気接点１の中央孔５１及び補強板３の中央孔に電極棒４の凸部を挿入し、ろう材５を介して嵌め合わせ、また電気接点１と補強板３との間にもろう材５を載置し、これを８.２×１０-4Ｐａ 以下の真空中で９７０℃×１０分間加熱し、図１に示す電極を作製した。
【００３１】
この電極は定格電圧７.２ｋＶ ，定格電流６００Ａ，定格遮断電流２０ｋＡ用の真空バルブに用いられる電極である。なお、電気接点１の強度が十分であれば、補強板３は省いてもよい。
【００３２】
前述以外に、Ｃｒ窒化物がＣｒ2Ｎ 以外にＣｒＮである場合にも、あるいはそれら両方からなる場合にも、前述の方法によって電気接点１を作製することができる。
【００３３】
本発明の電気接点は、ＣｒとＣｕとＣｒ窒化物からなることにより、つまり他の窒化物が混入されていないことにより、電流遮断時におけるＣｒ窒化物の分解によって放出するガス成分が裁断電流を小さくするとともに、アーク駆動を促進し、優れた遮断性能を発揮することができる。このＣｒ窒化物の分解生成物は、電流遮断後の冷却過程において速やかに固体に戻るため、多数回の遮断を繰り返しても、前述の裁断電流低減効果を持続できる。
【００３４】
このＣｒ窒化物は、ＣｒとＮとに分解され、Ｎが遮断を遅らせ、低サージ性を発現すると共に、冷却後、ＮはＣｒと結合しＣｒ窒化物になる。こうしたメカニズムにより繰り返し遮断にも有効であると考えている。
【００３５】
また、電気接点は、Ｃｒの量は、１２.５ 〜５０重量％が望ましい。Ｃｒの量が、これより少ないと耐電圧性能が不足し、これより多いと通電性能が低下する。Ｃｒ窒化物の量は、０.５ 〜５重量％が望ましい。Ｃｒ窒化物の量がこれより少ないと前述の裁断電流低減効果が得られず、これより多いと電気接点の材料密度が低下するとともに、電流遮断時の分解生成ガス成分が多くなり、耐電圧性能及び遮断性能が低下する。
【００３６】
電気接点におけるＣｒ窒化物とＣｒとの重量比は、１：１０〜１：２５の範囲にあることが望ましい。これにより、電流遮断時に分解生成した窒素は、遮断後にＣｒと反応してＣｒ窒化物となり、多数回遮断を繰り返しても前述の裁断電流低減効果を持続できる。
【００３７】
電気接点に用いられるＣｒ窒化物は、昇華点または分解点が１２００℃以上で、ＣｒＮまたはＣｒ2Ｎ のうちの一方あるいは両方からなるものである。これにより、電流遮断時に生ずるアークによってＣｒ窒化物が分解してガス成分を生成し、裁断電流を小さくすることができる。
【００３８】
電気接点の製造方法は、Ｃｒ，ＣｕおよびＣｒ窒化物の粉末を混合して混合粉末とするか、あるいは表面を窒化処理したＣｒと、Ｃｕの粉末を混合して混合粉末とし、この混合粉末を加圧成形した後に焼結するもので、焼結は真空中，不活性雰囲気中，水素雰囲気中、または窒素雰囲気中において、Ｃｕの融点以下の温度でなされることが望ましい。
【００３９】
なお、Ｃｒ，ＣｕおよびＣｒ窒化物の粉末を混合して混合粉末とする場合は、Ｃｒと
Ｃｒ窒化物とがＣｕに分散している状態を示す。また、表面を窒化処理したＣｒと、Ｃｕの粉末を混合して混合粉末する場合は、Ｃｒの表面にＣｒ窒化物が形成されたものがＣｕに分散している状態を示す。
【００４０】
これにより、最終形状のニアネット成形が可能となり、後加工が不要で、安価な電気接点を得ることができる。なお、焼結には高周波加熱炉などによる常圧焼結のほか、ホットプレスなどの加圧焼結や、マイクロ波などによる誘導加熱焼結を用いることで、より緻密な電気接点を得ることができる。
【００４１】
また、これらの原料粉末の粒径を７５μｍ以下とすることで、成形性に優れ、均一な組織が得られる。
【００４２】
さらに、混合粉末の加圧成形圧力は１２０〜５００ＭＰａが望ましい。成形圧力が、
１２０ＭＰａより低いと成形体のハンドリングが困難で、５００ＭＰａより高いと原料粉末が金型に凝着しやすく、金型寿命が短縮するとともに生産性が低下する。
【００４３】
電気接点を用いた電極は、円盤形状を有し、円盤の円中心に形成された中心孔と、この中心孔に対して非接触で円中心から外周部に向かって形成された複数本の貫通したスリット溝とを有するもので、スリット溝によって分離された羽根型の平面形状をなす。これにより、電極中心にアークが発生するのを防ぐとともに、スリット溝によってアークを外周方向へ駆動し、アーク停滞による遮断不能を防止することができる。
【００４４】
また、電気接点を用いた電極は、円盤状部材と、この円盤状部材のアーク発生面の反対面に一体に接合された電極棒とを有し、円盤状部材がこの電気接点からなるものである。これにより、所望の性能を有する電極が得られる。
【００４５】
真空バルブは、真空容器内に一対の固定側電極及び可動側電極を備え、その少なくとも一方が、この電気接点を用いた電極からなるものである。
【００４６】
また、真空遮断器は、少なくとも一方に本発明の電気接点を用いた固定側電極及び可動側電極を真空容器内に備えた真空バルブと、この真空バルブ内の固定側電極及び可動側電極の各々に真空バルブ外に接続された導体端子と、可動側電極を駆動する開閉手段とを備えたものである。
【００４７】
これにより、優れた遮断性能と低サージ性を兼ね備えた真空遮断器、さらには各種真空開閉装置が得られる。
【００４８】
前述で作製した電気接点を電極に用いて、真空バルブを作製した。真空バルブの仕様は、定格電圧７.２ｋＶ ，定格電流６００Ａ，定格遮断電流２０ｋＡである。
【００４９】
図２は、真空バルブの構造を示す図である。
【００５０】
図２において、１ａ，１ｂはそれぞれ固定側電気接点，可動側電気接点、３ａ，３ｂは補強板、４ａ，４ｂはそれぞれ固定側電極棒，可動側電極棒で、これらをもってそれぞれ固定側電極６ａ，可動側電極６ｂを構成する。
【００５１】
可動側電極６ｂは、遮断時の金属蒸気等の飛散を防ぐ可動側シールド８を介して可動側ホルダー１２にろう付け接合される。これらは、固定側端板９ａ，可動側端板９ｂ、及び絶縁筒１３によって高真空にろう付け封止され、固定側電極６ａ及び可動側ホルダー１２のネジ部をもって外部導体と接続される。絶縁筒１３の内面には、遮断時の金属蒸気等の飛散を防ぐシールド７が設けられ、また、可動側端板９ｂと可動側ホルダー１２との間には摺動部分を支えるためのガイド１１が設けられる。可動側シールド８と可動側端板９ｂとの間にはべローズ１０が設けられ、真空バルブ内を真空に保ったまま可動側ホルダー
１２を上下させ、固定側電極６ａと可動側電極６ｂとを開閉させることができる。
【００５２】
このように、前述で作製した電気接点を図２に示す電気接点１ａ，１ｂに用いて、真空バルブを作製した。
【００５３】
前述で作製した真空バルブを搭載した真空遮断器を作製した。
【００５４】
図３は、真空バルブ１４とその操作機構を示す真空遮断器の構成図である。
【００５５】
真空遮断器は、操作機構部を前面に配置し、背面に真空バルブ１４を支持する３相一括型の３組のエポキシ筒１５を配置した構造である。真空バルブ１４は、絶縁操作ロッド
１６を介して、操作機構によって開閉される。
【００５６】
遮断器が閉路状態の場合、電流は上部端子１７、電気接点１ａ，１ｂ、集電子１８、下部端子１９を流れる。電極間の接触力は、絶縁操作ロッド１６に装着された接触バネ２０によって保たれている。電極間の接触力および短絡電流による電磁力は、支えレバー２１およびプロップ２２で保持されている。投入コイル３０を励磁すると開路状態からプランジャ２３がノッキングロッド２４を介してローラ２５を押し上げ、主レバー２６を回して電極間を閉じたあと、支えレバー２１で保持している。
【００５７】
遮断器が引き外し自由状態では、引き外しコイル２７が励磁され、引き外しレバー２８がプロップ２２の係合を外し、主レバー２６が回って電極間が開かれる。
【００５８】
遮断器が開路状態では、電極間が開かれたあと、リセットバネ２９によってリンクが復帰し、同時にプロップ２２が係合する。この状態で投入コイル３０を励磁すると閉路状態になる。なお、３１は排気筒である。
【００５９】
前述した電気接点を先に示した定格電圧７.２ｋＶ ，定格電流６００Ａ，定格遮断電流２０ｋＡの真空バルブに用い、先に示した真空遮断器に搭載して遮断試験を行った。
【００６０】
表１は、接点組成及び電極径と遮断試験結果を示すもので、Ｎo.１〜Ｎo.４が本発明材、Ｎo.５〜Ｎo.９が比較材である。
【００６１】
Ｃｒ2Ｎ を含まない場合（Ｎo.９）、最大遮断電流値は３０ｋＡと大きく、遮断性能に優れるが、裁断電流値は７Ａ程度でサージアブソーバが必要となるレベルである。
【００６２】
これに対し、Ｃｒ2Ｎ の含有量が０.５ 〜５重量％で、かつ、Ｃｒ2Ｎ とＣｒの重量比が１：１０〜１：２５の範囲では（Ｎo.１〜Ｎo.４）、Ｃｒ2Ｎ の分解によって裁断電流値は比較的小さくなり、１（ｋＡ）の電流を１００回遮断した後も裁断電流値が大幅に変化することはなく、低サージ性が維持できる。
【００６３】
一方、Ｃｒ量が１２.５ 重量％未満の場合は（Ｎo.５）、耐電圧性能の低下に伴い最大遮断電流値が小さくなり、Ｃｒ量が５０重量％を超える場合には（Ｎo.６）、通電性能が低下することにより最大遮断電流値が小さくなる。
【００６４】
また、Ｃｒ2Ｎ 量が０.５重量％未満の場合には（Ｎo.７）、Ｃｒ2Ｎ の分解による低サージ効果が小さくなり、Ｃｒ2Ｎ 量が５重量％より多くなると（Ｎo.８）、ガス成分が遮断後にＣｒ2Ｎ として固化し難く、遮断性能が低下するとともに、繰り返し遮断によって裁断電流値は増加する。
【００６５】
以上から、本形態にかかわる電気接点によって、優れた遮断性能と低サージ性を兼ね備え、かつ、裁断電流低減効果の持続性に優れた電極性能を得ることができる。なお、Ｃｒ窒化物がＣｒ2Ｎ 以外にＣｒＮである場合にも、あるいはそれら両方からなる場合にも同様の効果が得られる。
【００６６】
先に作製した真空バルブを、真空遮断器以外の真空開閉装置に搭載した。
【００６７】
図４は、前述で作製した真空バルブ１４を搭載した、路肩設置変圧器用の負荷開閉器である。
【００６８】
この負荷開閉器は、主回路開閉部に相当する真空バルブ１４が、真空封止された外側真空容器３２内に複数対収納されたものである。外側真空容器３２は、上部板材３３と下部板材３４及び側部板材３５を備え、各板材の周囲（縁）が互いに溶接によって接合されているとともに、設備本体とともに設置されている。
【００６９】
上部板材３３には、上部貫通孔３６が形成されており、各上部貫通孔３６の縁には環状の絶縁性上部ベース３７が各上部貫通孔３６を覆うように固定されている。そして、各上部ベース３７の中央に形成された円形空間部には、円柱状の可動側電極棒４ｂが往復動
（上下動）自在に挿入されている。すなわち、各上部貫通孔３６は上部ベース３７と可動側電極棒４ｂによって閉塞されている。
【００７０】
可動側電極棒４ｂの軸方向端部（上部側）は、外側真空容器３２の外部に設置される操作器（電磁操作器）に連結されるようになっている。
【００７１】
また、上部板材３３の下部側には、各上部貫通孔３６の縁に沿って外側ベローズ３８が往復動（上下動）自在に配置されており、各外側ベローズ３８は、軸方向の一端側が上部板材３３の下部側に固定され、軸方向の他端側が各可動側電極棒４ｂの外周面に装着されている。
【００７２】
すなわち、外側真空容器３２を密閉構造とするために、各上部貫通孔３６の縁には各可動側電極棒４ｂの軸方向に沿って外側ベローズ３８が配置されている。
【００７３】
また、上部板材３３には排気管（図示省略）が連結され、この排気管を介して外側真空容器３２内が真空排気されるようになっている。
【００７４】
一方、下部板材３４には下部貫通孔３９が形成されており、各下部貫通孔３９の縁には絶縁性ブッシング４０が各下部貫通孔３９を覆うように固定されている。
【００７５】
各絶縁性ブッシング４０の底部には、環状の絶縁性下部ベース４１が固定されている。そして、各下部ベース４１の中央の円形空間部には、円柱状の固定側電極棒４ａが挿入されている。
【００７６】
すなわち、下部板材３４に形成された下部貫通孔３９は、それぞれ絶縁性ブッシング
４０，下部ベース４１、及び固定側電極棒４ａによって閉塞されている。
【００７７】
そして、固定側電極棒４ａの軸方向の一端側（下部側）は、外側真空容器３２の外部に配置されたケーブル（配電線）に連結されるようになっている。
【００７８】
外側真空容器３２の内部には、負荷開閉器の主回路開閉部に相当する真空バルブ１４が収納されており、各可動側電極棒４ｂは、２つの湾曲部を有するフレキシブル導体（可撓性導体）４２を介して互いに連結されている。
【００７９】
このフレキシブル導体４２は、軸方向において２つの湾曲部を有する導電性板材としての銅板とステンレス板を交互に複数枚積層して構成されている。フレキシブル導体４２には貫通孔４３が形成されており、各貫通孔４３に各可動側電極棒４ｂを挿入して互いに連結される。
【００８０】
以上のように、前述で作製した真空バルブは、路肩設置変圧器用の負荷開閉器にも適用可能であり、これ以外の真空絶縁スイッチギアなどの各種真空開閉装置にも適用できる。
【産業上の利用可能性】
【００８１】
本発明は、こうした新規な真空バルブ用電気接点及びその製造方法を提供することにより、真空遮断器，真空開閉器等の産業分野に利用可能である。
【図面の簡単な説明】
【００８２】
【図１】本発明の実施例に係わる電極の構造を表す図。
【図２】本発明の実施例に係わる真空バルブの構造を表す図。
【図３】本発明の実施例に係わる真空遮断器の構造を表す図。
【図４】本発明の実施例に係わる路肩設置変圧器用負荷開閉器の構造を表す図。
【符号の説明】
【００８３】
１…電気接点、１ａ…固定側電気接点、１ｂ…可動側電気接点、２…スパイラル溝、３，３ａ，３ｂ…補強板、４，４ａ，４ｂ…電極棒、５…ろう材、６ａ…固定側電極、６ｂ…可動側電極、７…シールド、８…可動側シールド、９ａ…固定側端板、９ｂ…可動側端板、１０…ベローズ、１１…ガイド、１２…可動側ホルダー、１３…絶縁筒、１４…真空バルブ、１５…エポキシ筒、１６…絶縁操作ロッド、１７…上部端子、１８…集電子、
１９…下部端子、２０…接触バネ、２１…支えレバー、２２…プロップ、２３…プランジャ、２４…ノッキングロッド、２５…ローラ、２６…主レバー、２７…引き外しコイル、２８…引き外しレバー、２９…リセットバネ、３０…投入コイル、３１…排気筒、３２…外側真空容器、３３…上部板材、３４…下部板材、３５…側部板材、３６…上部貫通孔、３７…上部ベース、３８…外側ベローズ、３９…下部貫通孔、４０…絶縁性ブッシング、４１…下部ベース、４２…フレキシブル導体、４３…フレキシブル導体貫通孔、５１…中央孔。
【図１】
2007213813.tif 000003
【図２】
2007213813.tif 000004
【図３】
2007213813.tif 000005
【図４】
2007213813.tif 000006